(57)【要約】【課題】製造が容易であり、コストも安価で、使用しやすく、殺菌効果が長時間効果的に持続する創傷保護剤の製造方法を提供する。【解決手段】液体殺菌消毒剤を含浸させるパッド部２０に樹脂フィルム２４を貼り合わせ、パッド部２０の周囲に粘着フィルム１８の粘着剤層１６が位置する大きさにパッド部２０を形成する。これとともに、液体殺菌消毒剤をパッド部２０に含浸させ、このパッド部２０の樹脂フィルム２４を粘着フィルム１８の粘着剤層１６に貼り付ける。パッド部２０及び粘着剤層１６を重剥離フィルム２２で覆い、パッド部２０の周囲の重剥離フィルム２２を粘着剤層１６側に加圧する。【選択図】        図１
2004344389.tif 000002
【特許請求の範囲】
【請求項１】
液体殺菌消毒剤を含浸させるパッド部を粘着フィルムの粘着剤層に貼り付けるとともにこのパッド部に液体殺菌消毒剤を含浸させ、上記パッド部及び粘着剤層を重剥離フィルムで覆い、さらに上記パッド部の周囲の重剥離フィルムを粘着剤層側に加圧すること特徴とする創傷保護剤の製造方法。
【請求項２】
液体殺菌消毒剤を含浸させるパッド部に樹脂フィルムを貼り合わせ、上記パッド部の周囲に粘着フィルムの粘着剤層が位置する大きさに上記パッド部を形成するとともに液体殺菌消毒剤を含浸させ、このパッド部の樹脂フィルムを粘着フィルムの粘着剤層に貼り付け、上記パッド部及び粘着剤層を重剥離フィルムで覆い、さらに上記パッド部の周囲の重剥離フィルムを粘着剤層側に加圧すること特徴とする創傷保護剤の製造方法。
【請求項３】
上記パッド部は、上記液体殺菌消毒剤を含浸させたテープ状のパッド材を裁断しながら上記粘着フィルムに貼り付けることを特徴とする請求項２記載の創傷保護剤の製造方法。
【請求項４】
上記粘着フィルムは、粘着剤層側にナイロンネットを設け、粘着剤を塗工するウレタンフィルムであることを特徴とする請求項１または２記載の創傷保護剤の製造方法。
【請求項５】
上記粘着フィルムの端部の粘着剤層には、軽剥離シートを貼り付けることを特徴とする請求項１または２記載の創傷保護剤の製造方法。
【請求項６】
上記パッド部の一方の面に上記樹脂フィルムを熱溶着または粘着させ、上記樹脂フィルムにより上記粘着剤層と確実に粘着するように形成し、上記パッド部の他方の側の面に、薄い被覆材を設けることを特徴とする請求項２記載の創傷保護剤の製造方法。
【発明の詳細な説明】
【０００１】
【発明の属する技術分野】
この発明は、身体の傷面を殺菌消毒剤が付着したパッドで覆い保護する絆創膏等の創傷保護剤の製造方法に関する。
【０００２】
【従来の技術】
【特許文献１】実開昭６２−４２８１８号公報
【特許文献２】実開平９−２５１号公報
一般に創傷保護剤である傷絆創膏は、粘着テープに乾燥したガーゼを貼付し、粘着面及びパッドを剥離紙で覆い、紙製の袋等に包装されている。しかし、この傷絆創膏はパッド部分のガーゼに乾燥した殺菌消毒剤が付いているだけであり、殺菌剤の量が少なく、深い傷や汚れた傷口場合の場合には殺菌効果が弱いものであった。
【０００３】
そこで、例えば特許文献１，２に開示されているように、パッド部のガーゼに薬液を染みこませて使用する創傷絆創膏が提案されている。
【０００４】
【発明が解決しようとする課題】
しかしながら、上記従来技術の特許文献１に開示された構造の場合、使用する際に殺菌消毒用の薬液を絆創膏の外側から滴下して含浸させなければならず、簡単に使えるものではなかった。一方、特許文献２に開示されているものは、薬液が入れられたブリスターパックにパッド部が重ねられ、使用に際しては、ブリスターパックを押し破ってパッド部に薬液を染みこませて、傷口に貼り付けるものであり、使用に際してはブリスターパックを押し破る以外は通常の傷絆創膏と同様に使用し得る。しかしながら、ブリスターパックに薬液を入れて密封包装し、絆創膏部分を一体に貼り付ける等、製造工程が多くコストが高くなるものであった。さらに、製品の長期安定性や、使用時にブリスターパックを押し破る操作が煩わしい等の問題もあった。
【０００５】
この発明は上記従来の問題点に鑑みてなされたもので、製造が容易であり、コストも安価で、使用しやすく、殺菌効果が長時間効果的に持続する創傷保護剤の製造方法を提供することを目的とする。
【０００６】
【課題を解決するための手段】
この発明は、液体殺菌消毒剤を含浸させるパッド部を粘着フィルムの粘着剤層に貼り付けるとともにこのパッド部に液体殺菌消毒剤を含浸させ、上記パッド部及び粘着剤層を重剥離フィルムで覆い、さらに上記パッド部の周囲の重剥離フィルムを粘着剤層側に加圧する創傷保護剤の製造方法である。
【０００７】
またこの発明は、液体殺菌消毒剤を含浸させるパッド部に樹脂フィルムを貼り合わせ、上記パッド部の周囲に粘着フィルムの粘着剤層が位置する大きさに上記パッド部を形成するとともに液体殺菌消毒剤を含浸させ、このパッド部の樹脂フィルムを粘着フィルムの粘着剤層に貼り付け、上記パッド部及び粘着剤層を重剥離フィルムで覆い、さらに上記パッド部の周囲の重剥離フィルムを粘着剤層側に加圧する創傷保護剤の製造方法である。
【０００８】
上記パッド部は、上記液体殺菌消毒剤を含浸させたテープ状のパッド材を裁断しながら上記粘着フィルムに貼り付けるものである。
【０００９】
上記粘着フィルムは、粘着剤を塗工したウレタンフィルムの粘着剤層側にナイロンネットが設けられたものである。また、上記粘着フィルムの端部の粘着剤層には、軽剥離シートを貼り付ける創傷保護剤の製造方法である。
【００１０】
また、上記パッド部の一方の面に、柔らかいポリオレフィンやポリエチレン等の樹脂フィルムを熱溶着または粘着させ、上記樹脂フィルムにより上記粘着剤層と確実に粘着するように形成し、上記パッド部の他方の側である傷口に貼り付けられる面には、薄い穴あきフィルムまたはネット等の被覆材を貼り付けるものである。
【００１１】
【発明の実施の形態】
以下、この発明の実施の形態について図面に基づいて説明する。図１，図２はこの発明の一実施形態を示すもので、この実施形態の創傷保護剤１０は、絆創膏であり長方形の薄いポリウレタンフィルム１２と、このポリウレタンフィルム１２の一面に設けられた同形のナイロンネット１４、及び粘着剤層１６を備えた粘着フィルム１８を有する。そして、この粘着剤層１６が形成された側の面の中央部に、パッド部２０が設けられている。粘着剤層１６及びパッド部２０には、重剥離フィルム２２が貼り付けられて覆われている。
【００１２】
パッド部２０は、目付量が１５０〜２００ｇ／ｍ２、厚さが０．５〜１ｍｍの不織布、織布が好ましい。パッド部２０の一方の面には、柔らかいポリオレフィンやポリエチレン等の樹脂フィルム２４が熱溶着または粘着され、粘着剤層１６と確実に粘着するように形成されている。また、パッド部２０の他方の側である傷口に貼り付けられる面には、薄い穴あきフィルムまたはネット等の被覆材２６が貼り付けられている。
【００１３】
重剥離フィルム２２は、２０〜３０μｍの柔らかいポリオレフィンフィルムから成り、粘着剤層１６との粘着性を失わせる表面処理が施されていない剥離材である。また、粘着フィルム１８の端部の粘着剤層１６には、この粘着剤層１６に接する表面が、粘着性を失わせるシリコン処理された剥離材である軽剥離シート２８が貼り付けられている。
【００１４】
ここで、重剥離とは、幅２５ｍｍ程度のテープを粘着して剥がす際の力の程度を言い、数値で表示すると、５．０〜１０．０Ｎ／２５ｍｍ、好ましくは７．０〜８．５Ｎ／２５ｍｍ程度の剥離力に設定されているものを言う。また、軽剥離とは、同様に幅２５ｍｍ程度のテープを粘着して剥がす際の力の程度を言い、数値で表示すると、０．５Ｎ／２５ｍｍ以下の力で剥離可能なものを言い、好ましくは０．２〜０．３Ｎ／２５ｍｍ程度の剥離力に設定されているものを言う。
【００１５】
パッド部１８には、液体の殺菌消毒剤として、アクリノール、グルコン酸クロルヘキシジン、塩化ベンザルコニウム、イソプロパノール、塩化ベンゼトニウム、オキシドール、エチルアルコール、塩酸ナファゾリン、マレイン酸クロルフェニラミン、ポピヨンヨード、塩化セチルピリジニウム、等が液体のまま含浸されている。さらに、局所麻酔剤として、リドカイン、塩酸ジブカイン、皮膚修復剤としてアラントイン等の薬剤を配合しても良い。また、抗生物質を配合しても良い。さらに、患部を湿潤状態とするために、生理食塩水を含浸させても良い。
【００１６】
次に、この実施形態の創傷保護剤１０の製造方法について説明する。まず、液体殺菌消毒剤を含浸させるパッド部２０を形成する不織布等の材料の一方の面に、薄い樹脂フィルム２４を貼り合わせ所定部位を熱溶着する。また、この前または後にパッド部２０を形成する不織布等の材料の他方の面に被覆材２６を貼り付ける。
【００１７】
このパッド部２０は、その周囲に粘着剤層１６が位置する幅に形成され、液体の殺菌消毒剤を染み込ませた後、粘着フィルム１８の中央部に位置する大きさに裁断する。次に、このパッド部２０の樹脂フィルム２４を粘着フィルム１８の粘着剤層１６に貼り付ける。そして、先ず粘着フィルム１８の一方の端部の粘着剤層１６に、その粘着剤層１６に対して粘着しないように表面にシリコンコートされた剥離材である軽剥離シート２８を貼り付ける。次に、粘着剤層１６、液体の殺菌消毒剤が含浸したパッド部２０、及び軽剥離シート２８を、同形の重剥離フィルム２２で覆う。さらに、パッド部２０の周囲の重剥離フィルム２２を粘着剤層１６側に加圧し、粘着を強化することにより、保管中に液体の殺菌消毒剤が周囲に漏れないようにする。
【００１８】
この実施形態の創傷保護剤によれば、液体の殺菌消毒剤が含浸しパッド部２０を重剥離フィルム２２で覆い、周囲の粘着剤層１６に重剥離フィルム２２を粘着させているので、パッド部２０が気密状態で被覆され、薬液が蒸発しないものである。さらに、パッド部２０の周囲の粘着剤層１６と重剥離フィルム２２とを加圧して粘着させるので、パッド部２０の気密をより確実なものとしている。包装は、アルミニウムラミネートフィルムにより密封包装することで長期間の保管にも、薬液の蒸発を抑えることができる。
【００１９】
従って、使用時には、液体殺菌消毒液が皮膚の創傷面に接し、確実な殺菌効果が得られ、長時間の連続使用も可能となる。また、傷口を殺菌し湿潤密閉状態で被覆することにより、治療促進効果が得られるとともに、看護の省力化も可能となる。また、傷口に接する部分には、被覆材２６が設けられ、不織布等が傷口に癒着することがない。さらに、粘着フィルム１８の一端部に軽剥離シート２８が貼り付けられているので、重剥離フィルム２２の剥離作業が容易となる。
【００２０】
なお、この発明の創傷保護剤の製造方法は上記各実施形態に限定されるものではなく、図３に示すように、正方形の粘着フィルム１８に、薬液を含浸させたパッド部２０を設けるものでも良い。ポリウレタンフィルム等の粘着フィルム１８は、通気性があるとともに防水性のあるフィルムを用いると良い。重剥離フィルム２２の材料や種類は問わない。
【００２１】
【実施例】
以下、この発明の一実施例の創傷保護剤について説明する。この実施例では、樹脂フィルム２４をパッド部２０の材料に貼り付け、アクリノール２．４ｇ、グリセンリン２０ｇ、精製水で溶解し、１，２００ｇとする。このように得られた溶液１．５ｇを、５０ｍｍ×４２ｍｍのパッド部２０に含浸させて、裁断し粘着フィルム１８の粘着材層１６に貼り付ける。そして、重剥離フィルム２２を貼り付け、パッド部２０の周囲を加圧密着する。さらに、この粘着フィルム１８を所定の大きさに打ち抜き成形し、アルミニウムラミネートフィルムにより密封包装した。
【００２２】
この実施例の創傷保護剤は、液体の殺菌消毒剤をパッド部２０に染みこませた状態で、保管することができ、使用時には液体状態の殺菌消毒剤を十分に傷口に当てることができる。
【００２３】
【発明の効果】
この発明の創傷保護剤の製造方法によれば、簡単な設備で手軽に安価に殺菌効果の高い創傷保護剤を製造することができる。さらに、液体状態の薬液を長期間保存することができ、使用時にも従来の傷絆創膏と同様の使用方法により使用可能である。そして、皮膚の創傷面に液体の殺菌消毒剤が接触するので、乾燥パッド部の絆創膏を貼付した場合と比較して、創傷部位の細胞の治癒を促進し自然治癒を早めることができる。また、創傷面を痛めることなく薬剤が浸透し、薬剤が均一に創傷部位に作用し、細菌の侵入も確実に阻止する。さらに、創傷部位に癒着することが無く、治癒が早く、創傷保護剤の交換時にも疼痛がない。
【図面の簡単な説明】
【図１】この発明の一実施形態の創傷保護剤の縦断面図である。
【図２】この実施形態の創傷保護剤の平面図である。
【図３】この発明の他の実施形態の創傷保護剤の平面図である。
【符号の説明】
１０  創傷保護剤
１２  ポリウレタンフィルム
１４  ナイロンネット
１６  粘着剤層
１８  粘着フィルム
２０  パッド部
２２  重剥離フィルム
２４  樹脂フィルム
２８  軽剥離シート
【図１】
2004344389.tif 000003
【図２】
2004344389.tif 000004
【図３】
2004344389.tif 000005